(57)【要約】【課題】原稿の読み取りにより得られる画像におけるモアレを特定する。【解決手段】原稿を読み取る読取装置であって、前記原稿を第１の読み取り解像度にて読み取ることにより第１の画像を取得し、前記原稿を前記第１の読み取り解像度よりも高い第２の読み取り解像度にて読み取ることにより第２の画像を取得し、前記第１の画像と前記第２の画像とを比較して所定以上の色の差が在る領域を画像内で特定する。第２の画像内における前記特定した領域にぼかし処理を施す。【選択図】図２
2016158203.tif 000002
【特許請求の範囲】
【請求項１】
原稿を読み取る読取装置であって、
前記原稿を第１の読み取り解像度にて読み取ることにより第１の画像を取得し、
前記原稿を前記第１の読み取り解像度よりも高い第２の読み取り解像度にて読み取ることにより第２の画像を取得し、
前記第１の画像と前記第２の画像とを比較して所定以上の色の差が在る領域を画像内で特定する、ことを特徴とする読取装置。
【請求項２】
前記第２の画像内における前記特定した領域にぼかし処理を施すことを特徴とする請求項１に記載の読取装置。
【請求項３】
所定方向に前記原稿と相対的に移動しながら前記原稿を照射する走査ユニットを備え、
前記ぼかし処理のためのフィルターを前記特定した領域に適用する場合に、前記所定方向に対応する方向を長手とする前記フィルターを用いることを特徴とする請求項２に記載の読取装置。
【請求項４】
前記第２の画像から文字領域を検出し、当該文字領域を前記ぼかし処理の対象から除外することを特徴とする請求項２または請求項３に記載の読取装置。
【請求項５】
前記特定した領域に含まれる色のうち、複数のインク色毎のインク量に色分解したときの当該インク量の総和が所定のしきい値以下である色を対象として前記ぼかし処理を施すことを特徴とする請求項２〜請求項４のいずれかに記載の読取装置。
【請求項６】
原稿を読み取る読取方法であって、
前記原稿を第１の読み取り解像度にて読み取ることにより第１の画像を取得し、
前記原稿を前記第１の読み取り解像度よりも高い第２の読み取り解像度にて読み取ることにより第２の画像を取得し、
前記第１の画像と前記第２の画像とを比較して所定以上の色の差が在る領域を画像内で特定する、ことを特徴とする読取方法。
【発明の詳細な説明】
【技術分野】
【０００１】
本発明は、読取装置および読取方法に関する。
【背景技術】
【０００２】
印刷物を原稿としてスキャナーで読み取って生成される画像には、当該原稿には無い周期的な（縞状の）ムラが発生している場合がある。このようなムラを、モアレとも言う。モアレの発生は、原稿を読み取る際の解像度に影響を受ける。例えば、原稿を構成するある色のインク滴（ドット）が当該原稿上に存在する頻度と同等の頻度（読み取り解像度）で読み取りを行った場合に、当該ドットの色が顕著に検出され、結果として、当該ドットの色味が強調されたモアレが生じることがある。
【０００３】
なお、原稿のプレスキャンの結果における周波数分布に基づいて通常スキャンの速度を決定する画像読取装置が知られている（特許文献１参照）。
【先行技術文献】
【特許文献】
【０００４】
【特許文献１】特開２０１３‐８５１０６号公報
【発明の概要】
【発明が解決しようとする課題】
【０００５】
原稿を読み取る際に、読み取り解像度をより高くすることでモアレの発生が抑えられ易い（モアレが殆ど目立たない画像が得られる）ことが知られている。しかしながら、読み取り解像度を高くすると、それだけ原稿の読み取りに多くの時間を要することになる。また、スキャナーには、機種毎に読み取り解像度の上限があり、常にモアレ抑制に効果的な高解像度で原稿を読み取ることができるとは限らない。
【０００６】
本発明はこのような課題を鑑みてなされたものであり、原稿の読み取りにより得られる画像におけるモアレを容易かつ的確に特定するための読取装置および読取方法を提供する。
【課題を解決するための手段】
【０００７】
本発明の態様の一つは、原稿を読み取る読取装置であって、前記原稿を第１の読み取り解像度にて読み取ることにより第１の画像を取得し、前記原稿を前記第１の読み取り解像度よりも高い第２の読み取り解像度にて読み取ることにより第２の画像を取得し、前記第１の画像と前記第２の画像とを比較して所定以上の色の差が在る領域を画像内で特定する。
【０００８】
当該構成によれば、同じ原稿を異なる解像度で読み取って得られた第１の画像と第２の画像との比較結果により、所定以上の色の差が在る領域を特定する。このような特定された領域は、モアレが比較的強く生じているとみなすことができる。従って本発明によれば、モアレが発生している（とみなすことができる）領域を容易かつ的確に特定することができる。
【０００９】
本発明の態様の一つは、読取装置は、前記第２の画像内における前記特定した領域にぼかし処理を施す。
当該構成によれば、前記特定した領域のモアレをぼかし処理により解消することができる。
【００１０】
本発明の態様の一つは、読取装置は、所定方向に前記原稿と相対的に移動しながら前記原稿を照射する走査ユニットを備え、前記ぼかし処理のためのフィルターを前記特定した領域に適用する場合に、前記所定方向に対応する方向を長手とする前記フィルターを用いる。
当該構成によれば、モアレ解消に適したぼかし処理を実現することができる。
【００１１】
本発明の態様の一つは、読取装置は、前記第２の画像から文字領域を検出し、当該文字領域を前記ぼかし処理の対象から除外する。
当該構成によれば、文字をぼかしてエッジのなまった文字にしてしまうことを回避できる。
【００１２】
本発明の態様の一つは、読取装置は、前記特定した領域に含まれる色のうち、複数のインク色毎のインク量に色分解したときの当該インク量の総和が所定のしきい値以下である色を対象として前記ぼかし処理を施す。
当該構成によれば、モアレが目立ち易い色に対してぼかし処理を施すことができる。
【００１３】
本発明の技術的思想は、読取装置という物以外によっても実現される。例えば、本発明は、読取装置が実行する工程を含んだ方法（読取方法）、あるいは当該方法をコンピューターに実行させるコンピュータープログラム、さらには当該プログラムを記憶したコンピューター読み取り可能な記憶媒体、とった各種カテゴリーにて実現されてもよい。
【図面の簡単な説明】
【００１４】
【図１】本実施形態にかかる装置構成を例示するブロック図。
【図２】モアレ領域特定処理を示すフローチャート。
【図３】比較対象となる第１の画像の画素と第２の画像の画素とを説明する図。
【図４】第２の画像にぼかし処理を施す状況を簡易的に示す図。
【発明を実施するための形態】
【００１５】
１．装置の概略的説明：
図１は、本実施形態にかかる読取装置１０の構成を例示する図である。読取装置１０は、原稿を光学的に読み取る読取機能を少なくとも備えた製品であり、例えば、スキャナーと称される。むろん、読取装置１０は、読取機能以外にも、印刷機能や各種通信機能等を備えていてもよく、複合機等とも称され得る。図１は、読取装置１０の構成の全てを示している訳ではない。
【００１６】
読取装置１０は、印刷物等の原稿１１をリニアイメージセンサー１９に結像し、リニアイメージセンサー１９からの出力に基づいてカラー画像情報をデジタル的に読み取るものである。図１の例では、読取装置１０は、原稿１１を載置する透明なガラス板やプラスチック板による原稿台１２と、原稿１１を照射する光源１３と、照明効率を向上させるためのリフレクター１４と、反射ミラー１５，１６，１７と、絞り機構を有する光学部材（レンズ）１８と、読み取った光を電気信号に変換するリニアイメージセンサー１９と、リニアイメージセンサー１９が出力する電気信号（アナログ信号）をデジタル信号に変換するアナログ／デジタルコンバーター（ＡＤＣ）２１と、ＡＤＣ２１が出力する画像データ（デジタル信号）に所定の画像処理を実行可能な画像処理部２２と、を備える。
【００１７】
リニアイメージセンサー１９は、ＣＣＤやＣＭＯＳといった受光素子を方向Ｄ１に直交する方向Ｄ２に沿って所定間隔で複数並べたセンサーであり、ラインセンサーとも称される。図１において、方向Ｄ２は、図の面に垂直な方向である。
読取装置１０は、装置全体を制御する制御部２３を備える。制御部２３は、例えば、ＣＰＵ、ＲＯＭ、ＲＡＭ等を有するＩＣや、その他の記憶媒体等により構成される。制御部２３では、ＣＰＵが、ＲＯＭ等に保存されたプログラムに従った演算処理を、ＲＡＭ等をワークエリアとして用いて実行することにより、読取装置１０における様々な処理（例えば、後述するモアレ領域特定処理）を実現する。制御部２３の一部に画像処理部２２等が含まれると解してもよい。
【００１８】
光源１３及びリフレクター１４により照射された原稿１１からの反射光は、反射ミラー１５，１６，１７を介して光学部材１８に導光され、さらに光学部材１８を介してリニアイメージセンサー１９に結像する。原稿１１が原稿台１２に載置された状態で、例えば、方向Ｄ１に沿って、光源１３、リフレクター１４ 、反射ミラー１５，１６，１７ を所定速度で移動させることにより、原稿１１をリニアイメージセンサー１９により２次元的に読み取ることができる。方向Ｄ１に沿って移動可能な光源１３、リフレクター１４ 、反射ミラー１５，１６，１７をまとめて、走査ユニット２０とも呼ぶ。方向Ｄ１をスキャン方向とも言う。光学部材１８およびリニアイメージセンサー１９も走査ユニット２０に含まれて移動する構成であってもよい。
【００１９】
リニアイメージセンサー１９は、カラー出力を行う場合、ＲＧＢ（レッド、グリーン、ブルー）の３色のカラーフィルータアレイを用いた各色１列の３列構成（１列×３色）または各色２列の６列構成（２列×３色）のイメージセンサーを有する。リニアイメージセンサー１９は、受光素子毎の受光量に応じたアナログ信号群を、ＲＧＢそれぞれ別のタイミングで（時分割方式で）で出力する。リニアイメージセンサー１９による読み取り解像度は、方向Ｄ２の読み取り解像度は受光素子の配置の間隔に依存し、方向Ｄ１の読み取り解像度は制御部２３によって変更可能である。
【００２０】
あくまで例であるが、制御部２３は、方向Ｄ１の読み取り解像度を、６００ｄｐｉ（ｄｐｉは、画像データにおける１インチ当たりの画素数）、３００ｄｐｉ、１５０ｄｐｉ等といった複数の解像度のいずれかに調整することが可能である。例えば、方向Ｄ１の読み取り解像度が３００ｄｐｉである場合、走査ユニット２０による方向Ｄ１への移動中、ＲＧＢそれぞれについて３００ｄｐｉに対応する頻度で読み取りが行われる。従って、一定時間内でのリニアイメージセンサー１９による読み取り回数が一定であるとすれば、制御部２３は、方向Ｄ１の読み取り解像度を高くするときほど、方向Ｄ１における原稿１１の長さ全体の読み取りに要する時間を長くする（走査ユニット２０の移動速度を遅くする）と言える。
【００２１】
上記では、原稿台１２に静止した原稿１１に対して走査ユニット２０が方向Ｄ１に沿って移動する構成を説明したが、本実施形態では原稿１１が移動する構成を除外しない。つまり、走査ユニット２０と原稿１１との少なくとも一方が方向Ｄ１（あるいは方向Ｄ１の逆方向）に移動することで原稿１１の読み取りが実現される。この意味で、走査ユニット２０は、原稿１１と相対的に移動すると言える。
【００２２】
読取装置１０は、画像処理部２２による処理後の画像データを、装置内あるいは装置外の印刷部２４へ出力することが可能である。印刷部２４は、入力された画像データに基づく印刷を実行可能である。つまり印刷部２４は、例えば、画素毎にＲＧＢ毎の階調値で表現された画像データに対して、解像度変換処理、色（表色系）変換処理、ハーフトーン処理等といった知られた各処理を施すことにより印刷データを生成し、印刷データに応じた印刷を印刷媒体に対して行う。ただし、このような印刷データを生成するための各処理の少なくとも一部を、画像処理部２２が実行するとしてもよい。印刷部２４をプリンターと呼んでもよい。印刷部２４が採用し得る印刷方式は、インクジェット方式、レーザー方式等様々である。
【００２３】
２．モアレ領域特定処理：
図２は、制御部２３による制御下で実行されるモアレ領域特定処理をフローチャートにより示している。
ステップＳ１００では、制御部２３は、第１の読み取り解像度による原稿１１のプレスキャンを実行する。つまり、方向Ｄ１の読み取り解像度を、予め定められた第１の読み取り解像度（例えば、１５０ｄｐｉ）に設定し、当該第１の読み取り解像度に応じて走査ユニット２０およびリニアイメージセンサー１９の駆動を制御する。このようなプレスキャンの結果、画像処理装置２２は、画素毎にＲＧＢ毎の階調値で表現された画像データであって、方向Ｄ１の解像度が第１の読み取り解像度（例えば、１５０ｄｐｉ）となった画像データ（第１の画像）を得る。
【００２４】
ステップＳ１１０では、制御部２３は、第１の読み取り解像度よりも高い第２の読み取り解像度による原稿１１（前記プレスキャンした原稿１１と同じ物）の本スキャンを実行する。つまり、方向Ｄ１の読み取り解像度を、予め定められた第２の読み取り解像度（例えば、３００ｄｐｉ）に設定し、当該第２の読み取り解像度に応じて走査ユニット２０およびリニアイメージセンサー１９の駆動を制御する。このような本スキャンの結果、画像処理装置２２は、画素毎にＲＧＢ毎の階調値で表現された画像データであって、方向Ｄ１の解像度が第２の読み取り解像度（例えば、３００ｄｐｉ）となった画像データ（第２の画像）を得る。
【００２５】
ステップＳ１２０では、制御部２３は、第１の画像と第２の画像とを比較して所定以上の色の差が在る領域を画像内で特定する。このように特定した領域を“モアレ領域”と呼ぶ。モアレ領域とは、モアレが比較的強く発生していると推定される領域である。
【００２６】
モアレ領域を特定する方法について説明する。
図３は、比較対象となる第１の画像を構成する画素ＰＸ１と第２の画像を構成する画素ＰＸ２とを説明するための図である。図３上段には、原稿１１における一定サイズの領域ＤＡと、原稿１１のプレスキャンの結果により得られる第１の画像における当該領域ＤＡに対応する画素ＰＸ１との関係を示している。同様に、図３下段には、原稿１１における当該領域ＤＡと、原稿１１の本スキャンの結果により得られる第２の画像における当該領域ＤＡに対応する画素ＰＸ２との関係を示している。
【００２７】
上述したように、プレスキャンにおける方向Ｄ１の読み取り解像度が１５０ｄｐｉであり、本スキャンにおける方向Ｄ１の読み取り解像度が倍の３００ｄｐｉであるとする。この場合、プレスキャンによる領域ＤＡの読み取り結果として１つの画素ＰＸ１（ＲＧＢ毎の階調値を有する画素）が得られれば、本スキャンによる同じ領域ＤＡの読み取り結果として方向Ｄ１に対応する方向に連続する２つの画素ＰＸ２（ＲＧＢ毎の階調値を有する画素）が得られる。第１の画像と第２の画像とを比較する場合は、原稿１１の同じ領域に対応する画素同士を比較する必要がある。図３の例で言えば、原稿１１の領域ＤＡに対応する画素ＰＸ１の色と、当該領域ＤＡに対応する２つの画素ＰＸ２の色の平均値と、を比較する。
【００２８】
当該比較は、比較する色間での除算または引き算により実行することができる。除算又は引き算の対象とする情報はＲＧＢでもよいが、制御部２３は、ＲＧＢを例えば、ＣＩＥ（国際照明委員会）が規定したＬ*ａ*ｂ*色空間（以下、*の表記を省略。）におけるＬａｂ情報に変換し、当該Ｌａｂを用いた除算や引き算を行うとしてもよい。図３を例にすれば、制御部２３は、原稿１１の領域ＤＡに対応する画素ＰＸ１のＲＧＢを所定の色変換プロファイルを参照して変換したＬａｂ（第１Ｌａｂ）と、当該領域ＤＡに対応する２つの画素ＰＸ２のＲＧＢの平均値としてのＲＧＢを当該色変換プロファイルを参照して変換したＬａｂ（第２Ｌａｂ）と、を比較する。
【００２９】
制御部２３は、例えば、Ｌａｂの要素毎に第１Ｌａｂにかかる要素を第２Ｌａｂにかかる要素で除算した値の平均値を“色の差”として認識することができる。この場合の色の差は１に近い程、差として小さいことを意味する。あるいは制御部２３は、例えば、Ｌａｂ色空間における第１Ｌａｂと第２Ｌａｂとの距離（第１Ｌａｂ、第２Ｌａｂ間での引き算の結果に相当）を“色の差”として認識する。この場合の色の差は０に近い程、差としては小さいことを意味する。また制御部２３は、第１Ｌａｂ、第２Ｌａｂそれぞれのａ，ｂの要素（色味を表す要素）だけに基づいて前記除算または引き算を行ってもよい。
【００３０】
いずれにしても制御部２３は、このような比較により得た色の差を、予め定めたしきい値と比較し、当該しきい値以上であれば所定以上の色の差があると判定する。むろん、色の比較の手法（除算または引き算）が異なれば、用いるしきい値も異なる。そして制御部２３は、所定以上の色の差があると判定した領域をモアレ領域として特定する。図３を例にすれば、原稿１１の領域ＤＡに対応する画素ＰＸ１の色と、当該領域ＤＡに対応する２つの画素ＰＸ２の色の平均値と、に所定以上の色の差があると判定した場合、当該領域ＤＡに対応する第２の画像内の領域（図３に示した２つの画素ＰＸ２による領域）をモアレ領域（の一部）とする。制御部２３は、このような処理を画像内の全ての領域に対して繰り返し実行することにより、最終的に第２の画像内をモアレ領域とモアレ領域ではない領域（非モアレ領域）とに分類する。
【００３１】
以上のステップＳ１００〜Ｓ１２０によって、モアレ領域特定処理は実質的に終了する。つまり、ステップＳ１２０までの処理により、モアレ領域を特定するという本願における主題の１つが完了する。後のステップＳ１３０では、モアレ領域のぼかし処理を実行するが、ステップＳ１３０はモアレ領域特定処理にとって必須の工程ではない。また、ステップＳ１３０を含んだ図３のフローチャートを、モアレ領域特定処理を含むぼかし処理、あるいは、モアレ領域特定処理を含む画像処理、等と呼んでもよい。
【００３２】
ステップＳ１００〜Ｓ１２０の補足説明および効果の説明をする。
先に説明したように、原稿を読み取る際に、読み取り解像度をより高くすることでモアレの発生が抑えられ易い（モアレが殆ど目立たない画像が得られる）ことが知られている。原稿１１のサイズや原稿１１（印刷物）が印刷された際の印刷解像度にもよるが、一例として、原稿１１（印刷物）が印刷された際の印刷解像度が３００ｄｐｉ程度であり、これを読み取る際の方向Ｄ１の読み取り解像度が６００ｄｐｉ程度であれば、読み取りによって得られる画像内での方向Ｄ１における周期的なムラ、つまりモアレはほぼ良好に抑制されるとする。ただし、方向Ｄ１の読み取り解像度を高くする程、原稿１１の読み取りに多くの時間を要してしまう。
【００３３】
そこで本実施形態では、ステップＳ１００のプレスキャンで用いる方向Ｄ１の第１の読み取り解像度（例えば、１５０ｄｐｉ）およびステップＳ１１０の本スキャンで用いる方向Ｄ１の第２の読み取り解像度（例えば、３００ｄｐｉ）はいずれも、上述したようなモアレの抑制に適した十分に高い読み取り解像度よりも低い解像度とする。これにより、プレスキャンと本スキャンとを実行した場合でも、モアレの抑制に適した十分に高い読み取り解像度で１回のスキャンを行う場合よりも原稿１１の読み取りに要するトータルの時間を短縮することができる。
【００３４】
ただしこれは、プレスキャンで得られる第１の画像と本スキャンで得られる第２の画像とのいずれにおいてもモアレが発生する可能性が高いことを意味する。また、そのように画像内のある領域にモアレが発生しているとすれば、より低い第１の読み取り解像度を用いたプレスキャンで得られた第１の画像の方が、第２の画像と比較して当該モアレが顕著に生じていると考えられる。従って、第１の画像と第２の画像とを比較したときにある程度以上の色の違いが認められる箇所を、モアレの発生箇所とみなすことができる。本実施形態ではこのような考察の下、ステップＳ１２０で第１の画像と第２の画像とを比較したときに所定以上の色の差が認められる領域を、モアレが比較的強く発生していると推定される領域、つまりモアレ領域として特定している。従って本実施形態によれば、原稿１１の読み取りに要する時間を短縮しつつ的確にモアレ領域を特定することができる。
【００３５】
３．ぼかし処理：
ステップＳ１３０では、画像処理部２２は、ステップＳ１２０で特定された第２の画像内のモアレ領域を対象としてぼかし処理を施す。ぼかし処理とは、注目画素の色を周辺画素の色を用いて平滑化する処理であり、具体的手法は様々である。例えば、画像処理部２２は、ぼかし処理のためのフィルター（平滑化フィルター）をモアレ領域に適用してたたみ込み演算をすることによりモアレ領域をぼかす。平滑化フィルターとしては、例えば、移動平均フィルターやガウシアンフィルター等が挙げられる。画像処理部２２によってモアレ領域にぼかし処理が施された後の第２の画像は、モアレ領域におけるモアレが抑制されて良好な画質となった画像である。このような第２の画像（画像データ）が、例えば、印刷部２４へ送信されることで、原稿１１のコピーとして、モアレの無い（モアレが殆ど目立たない）良好な画質の印刷物が得られる。
【００３６】
以下に、ステップＳ１３０のぼかし処理に関して幾つかの実施例を説明する。各実施例は、それらのいずれか１つが実施されるものであってもよいし組み合わせて実施されるものであってもよい。
【００３７】
実施例１：
画像処理部２２は、ぼかし処理のための前記フィルターをモアレ領域に適用する場合に、方向Ｄ１に対応する方向を長手とするフィルターを用いる。
図４は、第２の画像にぼかし処理を施す状況を簡易的に示す図である。図４に示す画像データＩＭは第２の画像の一例であり、画像データＩＭ内における一部の領域ＭＡが、ステップＳ１２０で特定されたモアレ領域であるとする。図４では、画像データＩＭ内のモアレ領域ＭＡを太枠で例示している。原稿１１の読み取りによって生成された画像データ（例えば、画像データＩＭ）は、方向Ｄ１および方向Ｄ２へそれぞれ対応して並ぶ複数の画素（例えば、画素ＰＸ２）により構成されている。説明の便宜上、画像データを構成する画素の並びの向きを、方向Ｄ１，Ｄ２により表現することがあるが、これはあくまでスキャン（プレスキャンまたは本スキャン）時における原稿１１の向きと方向Ｄ１，Ｄ２との対応関係に基づいている。
【００３８】
図４において２点鎖線で例示するように、モアレ領域ＭＡ内の各画素ＰＸ２に適用するぼかし処理のためのフィルターＦＬは、正方形ではなく、方向Ｄ１に対応する方向を長手とする矩形となっている。例えば、フィルターＦＬとしてのガウシアンフィルターは、より多くの周辺画素の加重平均を得ることで注目画素の色をより強くぼかすことができる。モアレ領域ＭＡにおけるモアレは、走査ユニット２０の移動方向である方向Ｄ１において周期的に発生していると考えられる。そのため、画像データＩＭにおいて方向Ｄ１に対応する方向を長手とするフィルターＦＬを用いることで、モアレによる色ムラを効果的にぼかすことができる。
【００３９】
実施例２：
画像処理部２２は、第２の画像から文字領域を検出し、当該文字領域をぼかし処理の対象から除外する。文字領域の検出方法は特に限定されず、文字検出（文字抽出、文字認識）のためのあらゆる手法を採用可能である。画像処理部２２は、例えば、エッジ検出やパターンマッチング等の手法により、第２の画像内から文字検出を試み、文字検出に成功した領域をまとめて文字領域とする。画像処理部２２は、検出した文字領域がモアレ領域と重なる場合、モアレ領域内であっても文字領域に該当する範囲（画素群）については、ぼかし処理を実行しない。文字領域についてはぼかし処理の対象外とすることで、文字のエッジがなまってしまうことを防止する。むろん画像処理部２２は、第２の画像全体を文字領域の検出対象とするのではなく、第２の画像におけるモアレ領域内で文字領域の検出を行うとしてもよい。
【００４０】
実施例３：
画像処理部２２は、モアレ領域に含まれる色のうち、複数のインク色毎のインク量に色分解したときの当該インク量の総和が所定のしきい値以下である色を対象としてぼかし処理を施す。ここでいうモアレ領域に含まれる色とは、モアレ領域内の画素の色であり、ＲＧＢ毎の階調値の組み合わせで特定される色とも言える。複数のインク色毎のインク量へ色分解するとは、色変換処理のことを指す。複数のインクとは、印刷部２４が印刷に使用する複数の色材（インクやトナー）であり、例えば、シアン（Ｃ）インク、マゼンダ（Ｍ）インク、イエロー（Ｙ）インク、ブラック（Ｋ）インク等である。色変換処理では、画像データの画素毎に、ＲＧＢ毎の階調値の組み合わせをＣＭＹＫ毎のインク量（階調値）の組み合わせへ変換することにより、画素毎にＣＭＹＫ毎のインク量（階調値）を有する画像データを取得する。色変換処理は、ＲＧＢ‐ＣＭＹＫの変換関係を予め規定したルックアップテーブルを参照することにより実行可能である。
【００４１】
当該実施例３のぼかし処理（ステップＳ１３０）では、画像処理部２２は、第２の画像の少なくともモアレ領域内の画素について色変換処理を行い、ＣＭＹＫ毎のインク量を取得する。そして、このように取得したＣＭＹＫ毎のインク量の総和（Ｃのインク量＋Ｍのインク量＋Ｙのインク量＋Ｋのインク量）を、モアレ領域内の画素毎に算出し、当該インク量の総和が所定のしきい値以下である画素を、対象色を有する画素として特定する。対象色が、ぼかし処理の対象となる色である。そして、画像処理部２２は、第２の画像のモアレ領域のうち、対象色を有する画素についてぼかし処理を行う。
【００４２】
このようにインク色毎のインク量に色分解したときのインク量の総和が所定のしきい値以下である色（対象色）は、比較的薄い色である。そのため、第２の画像が印刷部２４によるインク色毎のドット（インク滴）の吐出によって印刷される際、対象色の再現のために印刷媒体に形成されるドットは、印刷媒体上で比較的疎らに形成される。印刷結果におけるモアレは、ドットが密に形成される領域よりも、比較的ドットが疎らに形成される領域において目立つ傾向がある。従って、当該実施例３によれば、印刷結果においてモアレが目立ち易いと言える色を対象色として特定していると言える。つまり当該実施例３によれば、印刷結果においてモアレが目立ち易いと言える色（対象色）について、画像処理部２２がぼかし処理を施す。そのため、ぼかし処理後の第２の画像に基づいて印刷部２４が印刷を実行した場合に、印刷結果におけるモアレが効果的に抑制される。
【符号の説明】
【００４３】
１０…読取装置、１１…原稿、１９…リニアイメージセンサー、２０…走査ユニット、２２…画像処理部、２３…制御部、２４…印刷部、ＦＬ…フィルター、ＭＡ…モアレ領域
【図１】
2016158203.tif 000003
【図２】
2016158203.tif 000004
【図３】
2016158203.tif 000005
【図４】
2016158203.tif 000006